(57)【要約】【課題】熟練を要しないで網を正確且つきれいに張ることができ、作業性が良好であり、しかも、特別の設備を要しないため工場では網戸の量産に適し、押え車のような工具を要しなく、家庭では気軽さで簡単に張ることができるという網戸の網張り方法を提供する。【解決手段】網戸を構成する押出形材の框による本体枠組みにおいて、この左右縦框と上下框を押縁形材との組みによる網の引き込み形態となし、本体枠組みに網を張って各框に仮止めしてから、框に押縁形材を組み付けて網縁を押し込み、そのときに発生する引き込みにより、左右縦框間と上下框間に網を緊張させる。【効果】押縁形材を框に嵌着する押込みにより一挙に網を正確且つきれいに張ることができ、熟練を要することなく作業性が良好であり、しかも、特別の設備を要しないため工場では網戸の量産に適し、押え車のような工具を要しなく、家庭では気軽に網の張替ができる。【選択図】    図１
2017014804.tif 000002
【特許請求の範囲】
【請求項１】
網戸を構成する押出形材の框による本体枠組みにおいて、この左右縦框と上下框を押縁形材との組みによる網の引き込み形態となし、本体枠組みに網を張って各框に仮止めしてから、框に押縁形材を組み付けて網縁を押し込み、そのときに発生する引き込みにより、左右縦框間と上下框間に網を緊張させることを特徴とする網戸の網張り方法。
【請求項２】
網戸を構成する押出形材の框による本体枠組みにおいて、この左右縦框と上下框のうち、いずれか１対の框を押縁形材との組みによる網の引き込み形態となし、他方の１対の框においては網の端に線状連結部材を固着し、線状連結部材を介して当該框に対して網縁をスライド可能に予め緩く係合形態となしておき、本体枠組みに網を張って、前記引き込み形態の框に仮止めしてから、この引き込み形態の框に押縁形材を組み付けて網縁を押し込み、そのときに発生する引きにより、当該両框間に網を前記スライドを伴わせて緊張させることを特徴とする網戸の網張り方法。
【請求項３】
前記引き込み形態の框には、押縁形材を組み付ける一面開放のチャンネル形部を形成し、その開放口の内端に網の縁部が被さる口縁内突片を設け、口縁内突片に網縁が刺さる突起群を立設しておき、押縁形材には、口縁内突片に網縁を押え止めて掛ける弾性変形可能な脚部片を突設することを特徴とする請求項１又は２記載の網戸の網張り方法。
【請求項４】
前記引き込み形態の框には、押縁形材を組み付ける一面開放のチャンネル形部を形成し、開放口の外側縁部に軸ポケットを形成し、押縁形材に軸ポケットに嵌る軸を設けることにより、押縁形材は、軸ポケットを中心に開閉可能に反転するように軸支しておき、押縁形材の閉じにより網縁を押さえ止めることを特徴とする請求項１，２又は３記載の網戸の網張り方法。
【請求項５】
押縁形材と組みとなるチャンネル形部を有する前記框に、底面に中央部に沿って落し溝を設け、網の縁に設けた膨出部材を該溝に嵌め込むことにより網を仮止めすることを特徴とする請求項３又は４記載の網戸の網張り方法。
【請求項６】
軸を中心に反転する押縁形材の先端に、突起群を下向きに設け、框の口縁内突片には仮止めとなる柔軟な摩擦片を固着しておき、脚部片が脱出不能に内部に係ると同時に、突起群が摩擦片に網縁の上から刺しつけて本止めすることを特徴とする請求項４又は５記載の網戸の網張り方法。
【発明の詳細な説明】
【技術分野】
【０００１】
この発明は、網戸を製造する工場や網を張り替える家庭等において適用する網戸の網張り方法に関する。
【背景技術】
【０００２】
従来、網を張る形態として網戸の４辺の各框に、内周に沿って同一面(室外側面)に開口する細い蟻溝が設けられ、蟻溝に弾力的に嵌るロープ状のゴムからなる押縁紐が使用される。そして網を張り替えるときには、古い網を剥ぎ取ると、蟻溝が矩形に再現するので、その矩形よりも一回り幅広くカットした新しい網を面上に配置してから、一隅角から押縁紐を始めて網の縁を蟻溝に押し込むことによって、網を順次全周にわたって押え止め、最後にカッターで周囲の食み出た部分を切り取っていた。
【０００３】
押縁紐の押込みには極めて強力な押圧力を必要とし、しかも、一端から始まる一周作業となるので、これには、凹溝に差入れる薄い円板形の板車に持ち手を取り付けた走行式の押え車が道具として使用されていた。  
【発明の概要】
【発明が解決しようとする課題】
【０００４】
上記のように、従来の網戸の網張り方法であると、押え車で細い押縁紐を網に当て、上から蟻溝の中に押し込む作業となるが、不慣れのために少しでも手元が狂うと、網の全面に修正不能な皺が見苦しく発生したり、仕上げカットも不能に乱雑となるなど不手際は避けられないというように、体裁よく正常に網を張るには極めて熟練を要する作業であった。
【０００５】
また、工場における網戸の量産体制では、作業台の上において押縁紐を一気に蟻溝に押し込む装置を備えることが可能であるが、細い押縁紐の押込みには装置に微妙な動作を要するために装置がコスト高となるという問題があった。
【０００６】
この発明は、上記のような実情に鑑みて、熟練を要しないで網を正確且つきれいに張ることができ、作業性が良好であり、しかも、特別の設備を要しないため工場では網戸の量産に適し、押え車のような工具を要しなく、家庭では気軽さで簡単に張ることができるという網戸の網張り方法を提供することを課題とした。
【課題を解決するための手段】
【０００７】
上記の課題を解決するために、第１発明は、網戸を構成する押出形材の框による本体枠組みにおいて、この左右縦框と上下框を押縁形材との組みによる網の引き込み形態となし、本体枠組みに網を張って各框に仮止めしてから、框に押縁形材を組み付けて網縁を押し込み、そのときに発生する引き込みにより、左右縦框間と上下框間に網を緊張させることを特徴とする網戸の網張り方法を提供する。
【０００８】
また、第２発明は、押出形材の框による本体枠組みにおいて、この左右縦框と上下框のうち、いずれか１対の框を押縁形材との組みによる網の引き込み形態となし、他方の１対の框においては網の端に線状連結部材を固着し、線状連結部材を介して当該框に対して網縁をスライド可能に予め緩く係合形態となしておき、本体枠組みに網を張って、前記引き込み形態の框に仮止めしてから、この引き込み形態の框に押縁形材を組み付けて網縁を押し込み、そのときに発生する引きにより、当該両框間に網を前記スライドを伴わせて緊張させることを特徴とする網戸の網張り方法を提供する。
【０００９】
網戸の網張り方法を上記のように構成したから、網の引き込み形態とする１対又は２対の框の間では、押出成形による押縁形材の組み付けに伴う引き込みにより網を緊張させるものである。
【００１０】
そして、第１発明では、当該引き込み形態の框を左右、上下に配置し、緊張を縦横に同時に発生させるのに対して、第２発明では、左右、上下のいずれか１対の配置となし、残り他方の１対では、網の緊張の伸びを逃すようスライド可能に係合させ、それにはスライドしやすい線状連結部材を使用するものである。
【発明の効果】
【００１１】
以上説明したように、この発明によれば、押縁形材を框に嵌着する押込みにより一挙に網を正確且つきれいに張ることができ、熟練を要することなく作業性が良好であり、しかも、特別の設備を要しないため工場では網戸の量産に適し、押え車のような工具を要しなく、家庭では気軽に網の張替ができるという優れた効果がある。
【図面の簡単な説明】
【００１２】
【図１】第１発明に係る網戸の室外側から見た正面図である。
【図２】図１のA−A線矢視の拡大断面図である。
【図３】B−B線矢視の拡大断面図である。
【図４】図１のA−A線において網の仮止め状態を示す断面図である。
【図５】押縁形材の組み付けにより網を緊張させると当時に仮止めを本止めする要領を示す断面図である。
【図６】第２発明に係る網戸の正面図である。
【図７】図２のA−A矢視の拡大断面図である。
【図８】同B−B矢視の拡大断面図である。
【図９】図２のA−Aにおいて網の仮止め状態を示す断面図である。
【図１０】押縁形材の組み付けにより網を緊張させると当時に仮止めを本止めする要領を示す断面図である。
【図１１】第３発明に係る網戸の正面図である。
【図１２】図１１のA−A線矢視の拡大断面図である。
【図１３】同じくB−B線矢視の拡大断面図である。
【発明を実施するための形態】
【００１３】
この出願は、第１発明と第２発明とを提供するものであって、第１発明は、本体枠組み１が４辺において框３，５に押縁形材３a、５aが組み込まれるのに対して、第２発明では、相対向する１対では押縁形材付きであるが、他の１対の框３５，３５が押縁形材無しの係合連結型であって、引き込み機能は無く網７に緊張を許容する係合関係が網張り作業中に保持される点において異なっている。以下に実施例を説明する。
【実施例１】
【００１４】
図１ないし図５は、一実施例を示したもので、図１に示すように、網戸Ｓは、左右縦框３，３と上下框５，５との本体枠組み１の中に網７が張られ、網７の縁押えのために各框３，５には押縁形材３a、５aが組み合っている。
【００１５】
各框３，５は、矩形のチャンネル形部９を主体とする断面形状であって、チャンネル形部９の両口縁に網７を受ける口縁内突片１０、１１を突設し、内側の突片１０を蟻溝形に形成してそれに上向きに突起群１２が取り付けられている。
【００１６】
左右縦框３，３では（図２、図４）、チャンネル形部９にサッシ窓枠の縦枠等に接触する接続片１６，１６が突設される。１４は、縦枠との間の気密性を保持するモヘアである。また、上下框５，５では、サッシ窓枠に有するレールとの係合溝１３が突設される。１５は、枠組み用のビスポケットである。
【００１７】
押縁形材３a、５aは、框本体と同じアルミ押出形材からなり、チャンネル形部９に被さる浅い逆チャンネル形のキャップ状であって、その内部に左右１対の脚部片１７、１９が垂下して突設され、一方の脚部片１７の下端に口縁内突片１０に掛かる逆止爪２１が形成されている。
【００１８】
網７を張るには、作業台の上に本体枠組み１を置いて、その上に網７を載置して仮止めする。仮止めするには、その周囲を突起群１２に突き刺して各辺でずれを防止する。これで網が全体に緩く張られるので、框３，５のチャンネル形部９，９の上に押縁形材３a、５ａをおき、それで網７を框３，５のチャンネル形部９に押しつけると、脚部片１０が網７の縁部を突片１０の側面に摩り下ろして、逆止爪とともにそれに掛るため、網７が決して外れない状態になる。
【実施例２】
【００１９】
図６ないし図１０は、第２の実施例を示したもので、この場合は、框３，５のチャンネル形部９に被さる組となる押縁形材３a、５bは、網７を挟んで開閉可能に軸支されており、これについては、框３，５にビスポケット状に軸受２２を設け、押縁形材３a、５ｂにそれに嵌る軸部２３が形成される。
【００２０】
また、框３，５には口縁突片１０に逆止片部２５が下向き傾斜に突設され、その口縁内突片１０は前記したように蟻溝形であるが、押縁形材３a、５ｂには、その蟻溝形に対応する逆蟻溝形において突起群２７の嵌着部２６が形成され、それに前記逆止片部２５に係る傾斜脚部片１７が突設され、その先端に逆止爪が形成される。なお、口縁突片１０の蟻溝には軟質ゴムからなる摩擦片３１が嵌着される。
【実施例３】
【００２１】
図１１ないし図１３は、第３の実施例を示したもので、この場合は、左右縦框３，３については、以上説明した押縁形材３ａによる引き込みの張り方であるが、上下框３５，３５については網７を上下で係合保持する張り方になっている。これについては、網７の上下両端に係止線材３７，３７が溶着されており、これがスライド可能に直接係る中子形材３８が框３５に一体化される。
【００２２】
中子形材３８は、矩形の中空断面の一面に網７が通る割り溝３９を有し、内部に係止線材３７が掛かっている。
【００２３】
縦框３について網７の仮止めについては、縦框３に落し溝４１が設けられ、網７の端にこれに落し込むゴム又はプラスチックの膨出部材４３が取り付けられる。
【００２４】
そこで、仮止めしてから、押縁形材３a、３aを閉じて押し込めば、脚部片１７が口部内突片１０に掛かり、この時の引き込みにより網７に緊張が生じる。緊張に伴う網の移動は、係合線材３７，３７の移動により吸収され、また、網７には左右への緊張が上下の縮小を伴うため、線状連結部材３７はその引きにより中子形材３８と圧接しこれに固定される。つまり、最終的に網の４辺が固定される。
【符号の説明】
【００２５】
S  網戸
１  本体枠組み
３  縦框
５  上下框
３a、５a  押縁形材
７  網
９  チャンネル形部
１０、１１  口縁内突片
１２  突起群
１７，１９  脚部片
２１  軸受
２２  軸
２７  突起群
３１  摩擦片
３５  框
３７  線状連結部材
４３  膨出部材
【図１】
2017014804.tif 000003
【図２】
2017014804.tif 000004
【図３】
2017014804.tif 000005
【図４】
2017014804.tif 000006
【図５】
2017014804.tif 000007
【図６】
2017014804.tif 000008
【図７】
2017014804.tif 000009
【図８】
2017014804.tif 000010
【図９】
2017014804.tif 000011
【図１０】
2017014804.tif 000012
【図１１】
2017014804.tif 000013
【図１２】
2017014804.tif 000014
【図１３】
2017014804.tif 000015